Podtech/llm-jp-corpus-v4-ja_patent huggingface dataset:
(57)【要約】【課題】カーテンとぬいぐるみ型タッセルのトータルコーディネイトと購入者の手間や金銭的削減。【解決手段】カーテンのイメージに合ったぬいぐるみ型タッセルを別ケースに収納し本体のカーテンと梱包し販売する。【選択図】図２
0003107901.tif 000002
【実用新案登録請求の範囲】
【請求項１】
カーテンの付属品であるぬいぐるみ型タッセルをプラスチックケースに収納し、同時梱包されたぬいぐるみ型タッセル入りカーテン
【考案の詳細な説明】
【技術分野】
【０００１】  本考案は、ぬいぐるみ型タッセルの梱包方法及び販売に関するものである。
【背景技術】
【０００２】  従来カーテンとタッセルはどう素材で構成し、同時梱包が通常の販売方法であった。【０００３】  しかし、タッセルの形状が虫や花や動物や房形など様々な形で販売されるようになるとこのような、様々な形状のタッセルは、カーテンと別々に販売されたため、流通コストがかかり、購入時の手間や金銭的負担があった。【０００４】  この改善策として、ぬいぐるみ型タッセルをカーテンに同時梱包する販売方法とする。
【考案の開示】
【考案が解決しようとする課題】
【０００５】  カーテンとぬいぐるみ型タッセルのトータルコーディネイトと購入者の手間や金銭的削減。
【課題を解決するため手段】
【０００６】  本考案は、カーテンの柄、イメージに合った形状のぬいぐるみ型タッセルをケースに収納してカーテンと販売することを特徴とする。
【考案の効果】
【０００７】  本考案によって、トータル的コーディネイトが可能となり、それによって立体的な癒し効果がある。
【考案を実施するための最良の形態】
【０００８】  パッケージに入ったカーテンの側部にぬいぐるみ型タッセルを置くことでトータルコーディネイトが簡単になる。
【実施例】  以下、添付図面を用いて説明する。【０００９】  図１は、外から内部の形態が見えるように透明のケースを用いる。【００１０】  透明ケースはプラスチック製であり、円柱の形状をしている。【００１１】  ぬいぐるみ型タッセルは一対にして、透明ケース内に置くものとする。【００１２】  図２は、外から内部の柄が見えるように、透明ビニール袋を用いる。【００１３】  折り畳んだ、カーテンの上部には、透明プラスチックケースに入ったぬいぐるみタッセルを置くものとする。
【産業上の利用可能性】
【００１４】  本考案は、カーテンとタッセルの販売方法に関する。
【図面の簡単な説明】
【００１５】
【図１】ぬいぐるみ型タッセルの梱包方法を示す図である。
【図２】カーテンとぬいぐるみ型タッセルの梱包方法を示す図である。
【符号の説明】
【００１６】１  プラスチックケース
２  ぬいぐるみ型タッセル
３  ビニール袋
４  カーテン
【図１】
0003107901.tif 000003
【図２】
0003107901.tif 000004
(57)【要約】【課題】  本考案は湿度に強く、軽量化、経年使用に耐えうる物であり、しかも写真や掲示物等の差し替えにも支障なく、装飾用の造花を介在する額用造花板を提供する。【解決手段】  透明ガラス板と透明フィルム板との間に、中抜き台紙を介在し、その周縁部に平面的かつ、立体感が感じられるように加工した造花を装飾し、空間を作る為の間隔子を周縁部に介装して、密封固定した。【選択図】  図１
0003107902.tif 000002
【実用新案登録請求の範囲】
【請求項１】
透明ガラス板と透明フィルム板との間の周縁部に平面形状の造花を介在し、この造花を密封固定したことを特徴とする額用造花板。
【請求項２】
前記透明ガラス板および透明フィルム板の外周部をアルミテープで接着して密封したことを特徴とする請求項１記載の額用造花板。
【請求項３】
前記造花と透明フィルム板との間に、中抜き台紙を介在することを特徴とする請求項の１又は２に記載の額用造花板。
【請求項４】
透明ガラス板と中抜き台紙との間の周縁部に間隔子を介装したことを特徴とする請求項１ないし３の何れかに記載の額用造花板。
【考案の詳細な説明】
【技術分野】
【０００１】  本考案は、額用造花板で、装飾用に造花を用いた額用造花板に関するものである。
【背景技術】
【０００２】  一般的に額には、透明なガラス板が用いられている事が多い。その透明ガラス板を用いて、装飾用に押し花を、写真や掲示物等と額装しているものはあったが、天候等により、湿度の関係から乾燥状態を保持する事が難しく、品質維持の点で問題があった。【０００３】  また、押し花の乾燥状態を保持する為に乾燥剤等を介在させていた為、重量等で持ち運びの点でも問題があった。【０００４】  一方、額、そのものに造花を装飾しても、花が立体的であるが故にかえって邪魔になり、持ち運びの実用性に欠けるという問題があった。
【考案の開示】
【考案が解決しようとする課題】
【０００５】  本考案は上記の様に従来からの問題点を解決する為に、湿度に強く、重量の点でも軽量化し、写真や掲示物等の差し替えにも支障がなく、品質の維持が容易な装飾用の造花を用いた額用造花板を提供することを目的とする。
【課題を解決するための手段】
【０００６】  本考案は、透明ガラス板と透明フィルム板との間の周縁部に造花を装飾し、密封固定した額用造花板によって、上記の目的を達成したものである。
【考案の効果】
【０００７】  上述の様に、本考案の額用造花板は、一般の額、前面の透明ガラス板を用い、湿度に対する心配もなく使用でき、従来に比べ重量も軽量となる為、持ち運びも容易であり、経年使用に耐えうる物となった。しかも、写真や掲示物等の差し替えにも支障なく、装飾用の造花を平面的に介在させる額用造花板を実用的に提供できる。
【考案の実施するための最良の形態】
【０００８】  透明ガラス板と、透明フィルム板との間に、中抜き台紙を介在し、その周辺に平面的かつ立体感が感じられるように加工した造花を装飾し、空間を作る為に間隔子を周辺に固定し、外周部をアルミテープで接着固定したことである。
【実施例】
【０００９】  以下、添付図面に従って、実施例を説明する。【００１０】  図１は本考案額用造花板で、１は透明ガラス板で、最上層を成す。従来の額に使用されているもので用いる。２はペットフィルム板等の透明フィルム板で０．５ｍｍ程度厚のものを用いる。３は平面的に加工した造花ではあるが、立体感を失わないように用いる。５は塩化ビニールのエッジング等の間隔子を中抜き台紙の周縁部に固定する。４は中抜き台紙で、背景色を造花とマッチさせたものを選ぶ。６はアルミテープである。図１に示すように最下部に透明フィルム板２を置き、その上に中抜き台紙４、造花３、間隔子５と順々に上へ重ね、最上部に透明ガラス板１を重ねた状態で全周縁をアルミテープ６で接着、密封固定する。これで周辺が固定され、額用造花板ができあがる。【００１１】  前記造花は、シルクフラワーやアートフラワー等を用い、花芯を薄く加工し、平面的に組んでいく。それでいて花弁のウェーブ等をいかしながら平面的な中にも立体を感じさせるような造花を使用する。【００１２】  図２は、本考案額用造花板の使用例である。７は、図１に示した額用造花板そのものである。８は背面固定板で額に装着される。９は、写真や掲示物等である。１０は額縁で８により装着固定される。【００１３】  図３は、額の中抜き台紙４に造花３を装飾したデザインの一例である。１は最上層の透明ガラス板で中抜き台紙４に造花３を装飾し、最下部に透明フィルム板２を装着し、周囲をアルミテープ６で接着固定したものである。
【図面の簡単な説明】
【００１４】
【図１】本考案の額用造花板の実施形態を示す概略断面説明図。
【図２】本考案の額用造花板の使用例を示す概略断面説明図。
【図３】本考案の額用造花板の実施形態を示す平面式説明図。
【符号の説明】
【００１５】  １  透明ガラス板
２  透明フィルム板
３  造花
４  中抜き台紙
５  間隔子
６  アルミテープ
７  本考案額用造花板
８  背面固定板
９  写真、掲示物等
１０  額縁
【図１】
0003107902.tif 000003
【図２】
0003107902.tif 000004
【図３】
0003107902.tif 000005
(57)【要約】      （修正有）【課題】畳の材料やその形状、大きさに工夫を施すとともに、デザインの多様性を確保し、併せて、敷き作業が簡単でコストの安い刺繍入りのシステム畳を提供する。【解決手段】薄い芯材の表面を紙布で覆って端を裏面に折り返し、その上から滑り止め材を張った半畳サイズの無縁の畳を用い、この畳を、紙布の表面に刺繍を施した刺繍畳と刺繍を施さない無地畳とを用意し、刺繍畳と無地畳とを適宜に組み合わせて敷き詰めたことを特徴とするシステム畳。【選択図】図１
0003107925.tif 000002
【実用新案登録請求の範囲】
【請求項１】
薄い芯材の表面を紙布で覆って端を裏面に折り返し、その上から滑り止め材を張った半畳サイズの無縁の畳を用い、この畳を、紙布の表面に刺繍を施した刺繍畳と刺繍を施さない無地畳とを用意し、刺繍畳と無地畳とを適宜に組み合わせて敷き詰めたことを特徴とするシステム畳。
【請求項２】
刺繍の柄が一種類であり、これを一個又は複数個用いて刺繍畳の適宜の位置に配した請求項１のシステム畳。
【請求項３】
畳の敷き詰めが、床の部分敷き又は全面敷きである請求項１又は２のシステム畳。
【考案の詳細な説明】
【技術分野】
【０００１】
本考案は、洋間等を畳貼りの間とすることができるシステム畳に関するものである。
【背景技術】
【０００２】
最近の家屋は洋風になりつつあり、部屋もフローリングを貼って畳を敷かない洋間が多い。しかし、お茶やお花といった日本古来の行事は畳の上で行なうし、畳にはクッション性があったり、保温性があったりすることから、時として必要なことがある。このような場合に応えるものとして、普段は収納しておき、必要なときだけ取り出して敷くシステム畳が現出している。
【０００３】
このようなシステム畳に要求される条件としては、収納、取り出しが簡単であること、低価格であること、といったことであるが、従来のシステム畳は必ずしもこの要件を満たしていなかった。特に、デザイン性において劣り、常にワンパターンであることから、積極的に畳貼りにしたいという意欲を起こさせるのに乏しかった。デザイン性という点では、下記特許文献１に見られるように、刺繍入りの畳も提案されているが、これは、通常の畳表に刺繍を施しただけで、デザイン性が限られていた。
【特許文献１】実開平２−１８８４４号公報
【考案の開示】
【考案が解決しようとする課題】
【０００４】
本考案が解決しようとする課題は、単に畳に刺繍を入れただけではなく、畳の材料やその形状、大きさに工夫を施すとともに、デザインの多様性を確保し、併せて、敷き作業が簡単でコストの安いシステム畳を具現したものである。
【課題を解決するための手段】
【０００５】
以上の課題の下、本考案は、請求項１に記載した、薄い芯材の表面を紙布で覆って端を裏面に折り返し、その上から滑り止め材を張った半畳サイズの無縁の畳を用い、この畳を、紙布の表面に刺繍を施した刺繍畳と刺繍を施さない無地畳とを用意し、刺繍畳と無地畳とを適宜に組み合わせて敷き詰めたことを特徴とするシステム畳を提供する。
【０００６】
これにおいて、本考案は、請求項２の、刺繍の柄が一種類であり、これを一個又は複数個用いて刺繍畳の適宜の位置に配した手段及び請求項３の、畳の敷き詰めが、床の部分敷き又は全面敷きである手段を提供する。
【考案の効果】
【０００７】
本考案に係るシステム畳は、1)薄い芯材を用いた無縁の半畳サイズであるから、軽くて取扱いが容易であり、価格も安い。特に、半畳サイズで正方形であるから、収納に有利である。2)表に紙布を用いたものであるから、自由な着色が可能で、しかも、鮮明である。また、価格も安い。3)刺繍畳と無地畳を適宜に組み合わせるものであるから、デザインに多様性がある。といった長所がある。
【考案を実施するための最良の形態】
【０００８】
以下、本考案の実施の形態を図面を参照して説明する。図１、図２は本考案に係るシステム畳を構成する刺繍畳の一例の表面図、図３は裏面図、図４、図５は刺繍畳と無地畳を組み合わせて敷き詰めたシステム畳の表面図であるが、本考案に係るシステム畳は、薄い芯材１の表面に紙布２を被せて端２ａを裏面に折り返し、その上から滑り止め材３を張った半畳サイズの無縁の畳である。
【０００９】
これにおいて、芯材１は、半間×半間の半畳サイズの厚さ１０〜１５ｍｍ程度の充実したインシュレーションボードである。したがって、正方形の小型、軽量のものとなり、取扱いも容易であるし、収納にも場所を取らない。また、価格も安い。さらに、藁等を使用していないから、ダニ等も発生することはない。そして、表は紙布２を用いており、藺草や樹脂よりも鮮明な着色を自由にできるし、価格も安い。なお、紙布２は、繊維状にしてこれを織機で織るものであり、この点では、藺草や化成品と変わらない。
【００１０】
紙布２のサイズは芯材１のサイズよりも若干大きめにしておき、芯材１に被せた端が裏面に折り返せるようにしておく。そして、裏面には、不織布等の摩擦抵抗の大きい滑り止め材３を張っておく。このシステム畳は、フローリングの上に直接敷くことが多いから、この上に人が載ったときに不意に滑ったりするのを防ぐためである。以上の畳は、畳縁のない無縁畳となるから、敷いたときに広く見える効果がある。
【００１１】
紙布２には刺繍４を入れたものとそうでないものとがある。刺繍４入りの紙布２を用いたものは刺繍畳Ａとなり、そうでないものは無地畳Ｂとなる。なお、紙布２に刺繍４を入れるのは通常の刺繍折込機で行ない、刺繍４の材料も紙布２によればよい（木綿や絹の糸によってもよい）。紙布２を刺繍４の材料とすれば、種々の着色を鮮やかにできるし、価格も安くなる利点がある。刺繍４の図柄には種々のものがあるが、一種類の図柄を用い、これを紙布２の適当な個所に配置するようにすれば、デザインに多様性をもたせながらも、刺繍入れコストが安くなる。
【００１２】
本考案は、以上の刺繍畳Ａと無地畳Ｂを適宜に組み合わせてシステム畳とする（図４、図５）。その組み合わせは、任意であり、好みに合わせて敷く。したがって、デザインに多様性があり、敷くごとに刺繍畳Ａの位置を変えたりすれば、新しい畳に代えたような効果が出る。なお、本例では、半畳サイズのものを９枚用いた四畳半の畳敷きとしたものであるが、枚数はこれに限定されないのはいうまでもない。また、畳を敷く区域もフローリングの一部に敷く部分敷きの場合もあれば、敷居等で区画された区域の全面に敷く全面敷きの場合もある。
【図面の簡単な説明】
【００１３】
【図１】本考案に係るシステム畳を構成する刺繍畳の一例の表面図である。
【図２】本考案に係るシステム畳を構成する刺繍畳の一例の表面図である。
【図３】本考案に係るシステム畳の裏面図である。
【図４】本考案に係る刺繍畳と無地畳を組み合わせて敷き詰めたシステム畳の表面図である。
【図５】本考案に係る刺繍畳と無地畳を組み合わせて敷き詰めたシステム畳の表面図である。
【符号の説明】
【００１４】
１    芯材
２    紙布
２ａ  紙布の端
３    滑り止め材
４    刺繍
Ａ    刺繍畳
Ｂ    無地畳
【図１】
0003107925.tif 000003
【図２】
0003107925.tif 000004
【図３】
0003107925.tif 000005
【図４】
0003107925.tif 000006
【図５】
0003107925.tif 000007
(57)【要約】【課題】    点滴静脈注射に使われる翼状針を、針鞘に戻す時に、誤って、針を鞘を持つ手に刺す事故を少なくする。【解決手段】    プラスチック製の針鞘の長さを２倍以上に伸ばし、その中央で、直角に折り曲げた形に、鞘の形状を変え、針が収まる鞘と、鞘を持つ手の距離を離し、針刺し事故の可能性を少なくした。【選択図】    図２
0003107954.tif 000002
【実用新案登録請求の範囲】
【請求項１】
点滴静脈注射に使われるプラスチック製の翼状針の、針鞘１の長さを２倍以上に伸ばし、中央で直角に折り曲げた形にし、針が収まる鞘と、鞘を持つ手の距離を離せるように改良した針鞘２。
【考案の詳細な説明】
【考案の詳細な説明】
【考案が解決しようとする課題】
【０００１】  従来、点滴静脈注射の使われる翼状針の針鞘は、注射針の鞘と違い、鞘が小さく細いため、片手で針を鞘に戻す事が出来ないので、両手で針を鞘に戻さなくてはならず、針を鞘に戻す時に誤って、鞘を持つ手を刺す危険があるという問題点を有していた。
【課題を解決するための手段】
【０００２】  上記目的を達成するために、従来のプラスチック製の針鞘の長さを２倍以上に伸ばし、その中央で、直角に折り曲げた形に、鞘の形状を変えた。
【考案の効果】
【０００３】  針鞘を持つ指と、針の位置が離れ、誤って鞘を持つ手を刺す危険を少なくすることができる。
【図面の簡単な説明】
【図１】従来の針鞘を装着した翼状針の平面図である。
【図２】改良した針鞘を装着した翼状針の平面図である。
【図３】改良した針鞘の断面図である。
【符号の説明】
１    針鞘
２    改良した針鞘
３    翼状針
【図１】
0003107954.tif 000003
【図２】
0003107954.tif 000004
【図３】
0003107954.tif 000005
(57)【要約】      （修正有）【課題】い草製品にアップリケやミシン刺繍でワンポイント柄を表現する、あるいは染色したい草を織り上げて柄を表現することでは、困難であったラグや上敷きなどの大きい面積のデザインや、繊細な柄表現や多色での柄表現を可能にする連続柄ミシン刺繍い草インテリアを提供する。【解決手段】い草製品にミシン刺繍で連続柄になるようにデザインを施す、あるいは、い草製品にミシン刺繍で連続柄になるようにデザインを施し、へりにミシン刺繍、あるいはプリント、あるいは織り、染色によってデザインを施して組み合わせる。【選択図】図１
0003107952.tif 000002
【実用新案登録請求の範囲】
【請求項１】
い草製品にミシン刺繍で連続柄になるようにデザインを施す、あるいは、い草製品にミシン刺繍で連続柄になるようにデザインを施し、へりにミシン刺繍、あるいはプリント、あるいは織り、染色によってデザインを施してミシン刺繍で連続柄になるようにデザインを施したい草製品に組み合わせるようにする。以上の如く構成されたい草インテリア。
【考案の詳細な説明】
【技術分野】
【０００１】  本考案はい草製品にミシン刺繍で連続柄になるようにデザインを施す、あるいは、い草製品にミシン刺繍で連続柄になるようにデザインを施し、へりにミシン刺繍、あるいはプリント、あるいは織り、染色によってデザインを施してミシン刺繍で連続柄になるようにデザインを施したい草製品に組み合わせるようにすることで、細い線の繊細なデザイン、多色を使用したデザインを可能とするい草インテリアに関するものである。
［背景技術］【０００２】  従来のものは、い草製品にミシン刺繍やアップリケでワンポイント柄を表現する、あるいは染色したい草を織り上げて柄を表現していた。
［考案の開示］
［考案が解決しようとする課題］【０００３】  これらには以下のような欠点があった。
ワンポイント柄ではラグや上敷きなどの大きい面積のデザインは困難であり、染色したい草を織り上げて柄を表現するものは、繊細な柄表現や多色での柄表現は困難であった。本考案はこれらの欠点を解消するために、なされたものである。
［課題を解決するための手段］【０００４】  い草製品にミシン刺繍で連続柄になるようにデザインを施す、あるいは、い草製品にミシン刺繍で連続柄になるようにデザインを施し、へりにミシン刺繍、あるいはプリント、あるいは織り、染色によってデザインを施してミシン刺繍で連続柄になるようにデザインを施したい草製品と組み合わせることにより、繊細な柄表現や多色での柄表現が可能となる。
［考案の効果］【０００５】  い草製品にミシン刺繍で連続柄になるようにデザインを施す、あるいは、い草製品にミシン刺繍で連続柄になるようにデザインを施し、へりにミシン刺繍、あるいはプリント、あるいは織り、染色によってデザインを施してミシン刺繍で連続柄になるようにデザインを施したい草製品と組み合わせることにより、繊細な線の細いデザインや多色を使用したデザインが可能となり、ラグや組合せ可能なユニット式の畳、上敷きなどの大きい面積の商品デザインの可能性拡大が期待出来る。また染色したい草を織り上げてデザインするい草インテリアと異なり、無地のい草製品に後加工でデザイン処理を施すことが可能となり、在庫ロスの軽減が期待出来ることから、産業発展とともに環境側面からも貢献できる。
［考案の実施するための最良の形態］【０００６】  い草製品にミシン刺繍で連続柄になるようにデザインを施す、あるいは、い草製品にミシン刺繍で連続柄になるようにデザインを施し、へりにミシン刺繍、あるいはプリント、あるいは織り、染色によってデザインを施してミシン刺繍で連続柄になるようにデザインを施したい草製品に組み合わせてい草インテリアとする。本考案は以上の構成でこれを使用するときは上敷きやラグ、ユニット式の畳などのい草インテリアとする。
【図面の簡単な説明】［図１］
本考案のい草ラグにした場合の参考図
［図２］
本考案のユニット式畳にした場合の参考図
［図３］
本考案のい草上敷きにした場合の参考図
【符号の説明】
（１）は連続柄デザインのミシン刺繍
（２）はへり
（３）はい草製品の表面
【図１】
0003107952.tif 000003
【図２】
0003107952.tif 000004
【図３】
0003107952.tif 000005
(57)【要約】【課題】  石灯籠の火袋部に設けられた窓部には、石を彫った物や木で作った障子が取り付けられていたが、石を彫った物は、単純な格子状の物か幾何学的な模様に限られ、デザイン性の低い物で有った、又、木で作った障子などは、屋外に設置される石灯籠では、風雨に曝されて破けたりすぐに腐って壊れたり長持ちしない物であったが、この様なデザイン性が低く腐り易い物に変わる、腐り難くデザイン性の嵩い石灯籠用の窓を提供するものである。【解決手段】  石製の灯籠において、火袋部の開口部に枠材に板ガラスをはめ殺し状態に固設した窓を、着脱自在に設け、該板ガラスの表面に花等の絵柄を施した投光性の有るシールを貼着し、灯を点けた時にシールに施した絵柄が強調されるようにしたものである。【選択図】    図１
0003107920.tif 000002
【実用新案登録請求の範囲】
【請求項１】
主に屋外で使用される石製の灯籠（１）において、火袋部（２）の開口部（３）に枠材（４）に板ガラス（５）を固設した窓（６）を、着脱自在に設けたことを特徴とする灯籠。
【請求項２】
上記板ガラス（５）は、透明又は、半透明の物を使用し、表面に花等の絵柄を施したシール（７）を貼着したことを特徴とする請求項１記載の灯籠。
【考案の詳細な説明】
【技術分野】
【０００１】  本考案は、主に屋外で使用される石灯籠に関する。
【背景技術】
【０００２】  石灯籠は、元々、飛鳥時代になって、仏教が伝来しその後の隆盛とともに仏像・献灯用具としての燈籠、供養としての石塔など石造品が数多くつくられ、桃山時代になり茶道の祖千利休をはじめ茶人の人々によってこれらの石造品が茶庭に持ち込まれ、江戸時代になるとこれらの石造品が照明用として、庭園に用いられる様になった。【０００３】  現在灯籠は様々な形の物があるが、基本的に火を入れる部分がある物が灯籠と呼ばれており、基本的な構成としては、下から基礎・竿・中台・火袋・笠・宝珠からできている。【０００４】  従来、石製の灯籠の火袋部の正面には、正方形や長方形の窓が設けられており、又、他の面には空気を取り入れるため円形の穴が設けられていた、前記の窓には、石を格子状に彫った物や木で作った小さな障子が取り付けられていた。
【考案の開示】
【考案が解決しようとする課題】
【０００５】  上記の様に石灯籠の火袋部に設けられた窓部には、石を彫った物や木で作った障子が取り付けられていたが、石を彫った物は、単純な格子状の物か幾何学的な模様に限られ、デザイン性の低い物で有った、又、木で作った障子などは、屋外に設置される石灯籠では、風雨に曝されて破けたりすぐに腐って壊れたり長持ちしない物であったが、石を彫った物も木で作った障子もその制作には細かい手作業を要するのでコストが掛かる物であった。【０００６】  更に、石を彫った物は、単純な格子状の物か幾何学的な模様だけで、覆いが設けられていないので、蝋燭の火が風で容易に消されたり、又、木で作った障子は、風で消える事は無いが蝋燭の火が引火して燃える等の危険性が有った。
本考案は、上記した問題点を解決するためになされたものであり、主に屋外で使用される石灯籠の火袋部に設けられた窓部に、簡単に取り付けられる灯籠用窓を提供することを目的とする。
【課題を解決するための手段】
【０００７】  上記の課題を達成するために本考案は、主に庭などの屋外で使用される石製の灯籠（１）において、火袋部（２）の開口部（３）に枠材（４）に板ガラス（５）をはめ殺し状態に固設した窓（６）を、着脱自在に設けたものである。【０００８】  上記板ガラス（５）は、透明又は、半透明の物を使用し、表面に花等の絵柄を施した投光性の有るシール（７）を貼着し、灯を点けた時にシール（７）に施した絵柄が強調されるようにしたものである。
【考案の効果】
【０００９】  本考案は、上記の様な構成をなすもので次の様な効果を有する。
板ガラスにシールを貼着し、枠材に固設しただけなので、制作に細かい手作業を必要とせずコストが掛らない。【００１０】  素材がガラスなので、風雨に強く長期間の使用にも耐えることが出来る。【００１１】  シールを張り替えるだけで、容易に絵柄を変えることが出来る。【００１２】  蝋燭の火が風で容易に消されることもなく、又、蝋燭の火が引火して燃える等の危険性もない。
【考案の実施するための最良の形態】
【００１３】  本考窓は、先ず枠材（４）に透明又は、半透明の板ガラス（５）をはめ殺し状態に固設し、表面に花等の絵柄を施した投光性の有るシール（７）を貼着した窓（６）を、石製の灯籠（１）の火袋部（２）に設けた開口部（３）に、着脱自在に埋設するものである。
【実施例】
【００１４】  先ず、透明又は、半透明の板ガラス（５）を設ける、これは、通常の板ガラスでもよいが、屋外で使用する場合の耐久性や蝋燭の熱による影響を考えると、耐熱性の有る硬質ガラスなどが望ましい。【００１５】  次に、上記の板ガラス（５）を枠材（４）に固設し、該板ガラス（５）の表面に花等の絵柄を施した投光性の有るシール（７）を貼着し、窓（６）を設ける。【００１６】  更に、上記の窓（６）を主に屋外に設置されている石製の灯籠（１）の火袋部（２）に設けた開口部（３）に、着脱自在に埋設するものである。【００１７】  上記灯籠（１）を使用する場合は、火袋部（２）の中の蝋燭又は、電球に灯を点けて、シール（７）に施した絵柄が強調されるようにするものである。
【産業上の利用可能性】
【００１８】  本考案の灯籠用窓は、上記の実施例以外にも、屋外に設置される誘導灯などにも使用する事が出来、この場合、絵柄の代わりに文字メッセージを貼着することにより、通行者に危険な場所などに入るのを注意したり、又、文字メッセージの内容を変えることで商店などの看板など、様々な用途に使用可能なものである。
【図面の簡単な説明】
【００１９】
【図１】    本考案の状態を示す正面図
【図２】    本考案の状態を示すＡ〜Ａ断面図
【図３】    本考案の状態を示すＢ〜Ｂ断面図
【図４】    本考案の状態を示す斜視図
【符号の説明】
【００２０】            １    灯籠
２    火袋部
３    開口部
４    枠材
５    板ガラス
６    窓
【図１】
0003107920.tif 000003
【図２】
0003107920.tif 000004
【図３】
0003107920.tif 000005
【図４】
0003107920.tif 000006
(57)【要約】【課題】  空洞状の立体物、または外部を壷状とした立体物などを木材で製作しようとする場合、製作しようとする立体工作物の大きさと同等の直径を有する木材が容易に入手出来なかったり、また、それを加工するための熟練や木工用の轆轤など専門の機械も必要であった。【解決手段】  本発明のゲージを使用することにより、どこでも入手出来る平板を本発明の定規で小さな木片に加工し、規則的に木片を並べ、かつ交互に木片を積み重ね、木片を任意の形状に加工・固定することで、熟練や木工用の轆轤など専門の機械がなくても誰にでも容易に空洞状の立体物などの製作を可能とした。また、出来上がった作品の写真を見ながらバラバラに解体された木片を本発明のゲージを使用して立体パズルのように組み立てるという楽しみも提供出来る。【選択図】図１
0003107919.tif 000002
【実用新案登録請求の範囲】
【請求項１】
ガイド部１と、ガイド部１の中心からガイド部１の円周を均等に分割して出来上がるガイド部１の中心を頂点とした二等辺三角形で囲まれたゲージ部２、ならびにゲージ部２の中心に沿って切断された線引用溝３、から構成される透明な樹脂素材で作られた木片積上工作用ゲージ。
【考案の詳細な説明】
【考案の詳細な説明】
【産業上の利用分野】
【０００１】  本発明は木材を使用して、内部を空洞状の立体物、または外部を壷状とした立体物など複雑な形状の立体工作物の製作を容易にさせるものであり、熟練や木工用の轆轤など専門の加工機械が無くても容易に製作が可能であり、かつ製作しようとする大きさの木材を必要としないため低価格で製作を可能とする。また、完成したものを一度解体して一つ一つの部品として本発明の製作手順を踏みながら再度組み立てる工程を楽しむ立体パズルとすることも可能とする。
【背景技術】
【０００２】  内部を空洞状の立体物、または外部を壷状とした立体物などを木材で製作しようとすると、製作しようとする立体物の大きさと同じ大きさの木材が必要となり、かつ熟練や木工用の轆轤など専門の加工機械がなければ製作は大変難しいことであった。
【考案が解決しようとする課題】
【０００３】  本発明のゲージを使用することにより、必要とする材料はどこでも入手出来る木材を使用可能とし、かつ熟練や木工用の轆轤など専門の機械がなくても誰にでも空洞状の立体物、または外部を壷状とした立体物などを木材で容易に製作可能とする。
【課題を解決するための手段】
【０００４】  木材を使用して空洞状の立体物、または外形を壷状に加工しようとする場合、木材を小さな木片に加工し、製作しようとする意図に沿ってその木片を規則的に並べ、かつ交互に木片を積み重ねながら、木片を任意の形状に加工・固定することが可能であれば、容易に立体物の製作が可能であることが本発明により発見された。
【作用】
【０００５】  一般に日曜大工用として市販されている廉価な木材４を本発明のゲージ部２を用いて任意の大きさの木片５に加工する。本発明のガイド部１を基礎板７の中心から垂直に立てられた円柱６に貫通させ、ゲージ部２の線引用溝３に沿って木片５をガイド部１の中心に向かって横方向に規則的に並べながら、木片５を任意の形状に加工し、接着剤で固定または両面接着テープで仮接着していく。
１段目が終わった時点で、１段目の木片５の隣り合う接合面にゲージ部２の線引用溝３を合わせながら木片５を２段目として積み重ね、必要に応じてゲージ部２に設けられた線引用溝３に筆記具の先端を挿入した状態でゲージ部２を移動させながら線引きを行い、再び木片５を１段目の木片５の形状と整合性をもたせた形状に加工し、接着剤で固定または両面接着テープで仮接着する。
以下、この繰り返し作業を行い、最後に全体の木片を接着剤で固定し製作を完了させる。この結果、熟練や専門の加工機械が無くても複雑な形状の立体工作物が本発明を使用することにより誰でも製作が容易となり、かつ大きな木材を必要としないため低価格で立体工作物の製作が可能となった。
また、両面接着テープを使用して仮接着の状態で完成したものを、一度解体して一つ一つの部品として本発明の製作手順を踏みながら組み立てる、という工程を楽しむ立体パズルのようなことも可能である。
【実施例】
【０００６】  透明な汎用樹脂素材を用いてガイド部１、ゲージ部２および線引用溝３を金型で型抜き、または射出成型とする。
【考案の効果】
【０００７】  本発明のゲージ部２の大きさ、およびガイド部１を貫通させる円柱６の高さにより製作可能な作品の大きさが決まるが、理論上はかなり大きな作品まで可能となる。
また、形状は任意のものが可能であり、創造性があれば芸術品とすることも可能である。
本発明で様々な立体工作物を製作する楽しみが出来るが、出来上がった作品の写真を見ながらバラバラに解体された木片を本発明の定規を使用して立体パズルのように組み立てるという楽しみも提供出来る。
【図面の簡単な説明】
【図１】本考案の正面図である。
【図２】本考案の線引用溝に沿った断面図である。
【図３】本考案の実施例を示す平面図である。
【図４】本考案の実施例を示す平面図である。
【図５】本考案の実施例を示す側面図である。
【図６】本考案の実施例を示す側面図である。
【符号の説明】
１ガイド部  ２ゲージ部  ３線引用溝  ４木材  ５木片  ６円柱  ７基礎板
【図１】
0003107919.tif 000003
【図２】
0003107919.tif 000004
【図３】
0003107919.tif 000005
【図４】
0003107919.tif 000006
【図５】
0003107919.tif 000007
【図６】
0003107919.tif 000008
(57)【要約】      （修正有）【課題】布製オムツカバーをパンツと兼用できるようにしたオムツパンツの提供。【解決手段】布製オムツカバー１の両脇にファスナー２を付け開け閉めが自在にでき、ウエスト部分にゴム３を用いて体にフィットできるようにした。【選択図】図１
0003107949.tif 000002
【実用新案登録請求の範囲】
【請求項１】
伸縮布を用いたオムツカバー▲１▼の両脇に、ファスナー▲２▼とウエスト部分にゴム▲３▼を付け開閉切り離しを可能にしたオムツ兼用パンツ。
【考案の詳細な説明】
【考案の詳細な説明】
【考案が解決しようとする課題】
【０００１】  従来、紙製品が主流で身体状況によりそれぞれオムツとパンツに使い分けられている。しかし、オムツは固定型で体の動きにそぐわず、パンツは足先から着脱しなければならない。また、紙製品ということで後始末が簡単という利便性はあるが、使い捨てなため、莫大なゴミが日々搬出されるという問題点がある。
【課題を解決するための手段】
【０００２】  上記問題を解決するため、身体にそうようにオムツカバー全体に伸縮性のある布を使用し、ウエスエト部分にゴムを用いる。さらに両脇にファスナーをつけ切り離しできるようにした。
【考案の効果】
【０００３】  適意の排泄が困難な身体状況下で、常時身につけているものを布製にすることで肌の感触もよく紙を身に着けるというイメージを払拭できる。また、ウエストにゴムを付すことで、身体の動きに適応できパンツは足先から着脱しなくてもよいので、下着をその都度脱いだり着たりという手間が省ける。布製なため洗濯も可能なので全てゴミとならず、ゴミの少量化にもつながる。
【図面の簡単な説明】
【図１】ファスナーを閉じた着用時のオムツ兼用パンツの全体図である。
【図２】ファスナーを開けて広げた全体図である。
【符号の説明】
▲１▼    オムツカバー
▲２▼    ファスナー
▲３▼    ゴム
【図１】
0003107949.tif 000003
【図２】
0003107949.tif 000004
(57)【要約】      （修正有）【課題】殺傷力の有る鏃を貫通力の無い安全な鏃に交換し、殺傷力の有る鏃へゴムキャップを被せ安全な鏃とし、専用的施設である安土・矢道に代わり、仮設的代用幕か網を提供する。【解決手段】金属製鏃をスポンジゴムに換え、殺傷性・貫通性を抑え、金属製鏃へゴムキャップを被せ、殺傷性・貫通性を抑え、丈夫な布か網で的に成る幕を作りそれを組立式衝立へ張った。【選択図】図２
0003107943.tif 000002
【実用新案登録請求の範囲】
【請求項１】
鏃部分にゴム状塊を採用し、インクを付けた、不貫通性矢。
【請求項２】
従来の鏃へ被せ、矢を不貫通性とし捺印性としたゴム状塊。
【請求項３】
容易に組立設置・解体撤去が可能な、安土代用防護幕と網。
【考案の詳細な説明】
【０００１】
【考案の属する技術分野】
本考案は、使用時に不測の不都合が有っても、危害が著しく防止された矢と、使用時に不測の不都合が有っても、危害が著しく防止された、容易に組立設置・解体撤去が可能な、安土代用防護ネットを、著しく低費用で作る工夫である。
【０００２】
【従来の技術】
従来は  殺傷力の有る矢をつがえ、２８ｍ離れた安土に置かれた的を狙って、力一杯弦を引いて、発射していた。従って、未熟な射手の場合、相当に危険で、それなりの防御の為、一人当たり、的に向かい幅１．８ｍの矢道と、幅１．８ｍ、高さ１．６ｍ以上の安土が必要であった。それらは、弓道に専用の施設が必要である事を意味し、新人の多い高校・大学の弓道部では、多額な施設建設費用と練習者許容量不足の相克に悩み、安全で設置容易な練習施設とその用具が待望されている。
【０００３】
【考案が解決しようとする課題】
▲１▼  矢及び鏃の殺傷力を抑え、練習効果を損ねずに、安全な物にする工夫。
▲２▼  現在使用している手持ちの矢及び鏃を、簡便・容易に安全化する工夫。
▲３▼  現有の施設内に、安全で容易・廉価に設置・撤去が可能な  安土代用装置。
【０００４】
【課題を解決するための手段】
（１）  鏃部分をスポンジゴム状塊とし、殺傷力を抑え、捺印機能を具備する。
（２）  一般的鏃へ、ゴム状キャップを被せて、安全性と捺印性を得る。
（３）  安土相当箇所に丈夫な防護膜を持つ、容易に設置・撤去可能な施設。
【０００５】
【考案の実施の形態】
安全な矢と的を簡便に設置し、容易に練習場が得られる事は、弓道者が急増した場合に、大変有意な事である。安全な矢として鏃部分にスポンジゴム状塊を付け、それにインクも備える事に依って、的中の印を得る事ができる。又  組立式衝立の面に丈夫な布若しくは充分細かい網を張って安土の代用とし、更に、安土周辺と矢道の両側にも必要に応じ丈夫な布若しくは充分細かい網を張る。
【実施例１】
【０００６】
スポンジゴムの径１５〜２０ｍｍの球体を鏃とし、水性インクを含ませ、ゴム引きキャンバスを安土代用幕とし、矢道両側を５ｍｍ目の網で防護した練習施設。
【実施例２】
鏃を受ける部品を内臓したゴムキャップを付けた矢のゴムキャップの先端に、水性のスタンプインクを施し、５ｍｍ目の網を安土代用幕とし、矢道両側も５ｍｍ目の網で防護した練習施設。
【０００７】
【実施例３】
鏃を受ける部品を内臓したゴムキャップを付けた矢のゴムキャップの先端に、水性のスタンプインクを施し、ゴム引きキャンバスを安土代用幕とし、矢道両側を５ｍｍ目の網で防護した練習施設。
【０００８】
【考案の効果】
伝統的な弓道では、一人当たり的と射手間の距離が２８ｍ，矢道幅が１．８ｍ安土は底面１．８ｍ×１．８ｍ  天面１．８ｍ×０．９ｍ  高さ１．６ｍ以上の筑土だが、これを施設として保有するには広い土地と多額な資金を必要とする。施設の収容能力を越えて練習者が集まったならば、試合出場者の練習不足は必定の事である。もし  屋外でも  屋内でも  １．８ｍ以上×２８ｍ以上の空間が有り、僅かな資金と人手が有れば、即実効のある練習場を確保できるものである。
【図面の簡単な説明】
【図１】本考案による貫通力の無い鏃と  一般的殺傷力の有る鏃の対比図である。
【図２】本考案による一般的鏃へ被せる鏃受部品を内臓するゴムキャップの図である。
【図３】本考案による安土代用防護幕と網  更に  組立式衝立の図である。
【符号の説明】
１  貫通力の無いスポンジゴム鏃
２  殺傷力の有る一般的鏃
３  鏃受部品
４  一般的安土
５  ゴム引きキャンバス製安土代用幕とその衝立
６  ５ｍｍ目網製安土代用幕とその衝立
７  組立式衝立Ａ
８  組立式衝立Ｂ
【図１】
0003107943.tif 000003
【図２】
0003107943.tif 000004
【図３】
0003107943.tif 000005
【手続補正書】
【提出日】平成15年9月10日(2003.9.10)
【手続補正１】
【補正対象書類名】明細書
【補正対象項目名】実用新案登録請求の範囲
【補正方法】変更
【補正の内容】
【実用新案登録請求の範囲】
【請求項１】
鏃部分にゴム状塊を採用し、インクを付けた、不貫通性矢。
【請求項２】
貫通性鏃へ被せ、矢を不貫通性とし捺印性としたゴム状塊。
【請求項３】
容易に組立設置・解体撤去が可能な、安土代用防護膜と網。
【請求項４】
請求項１・２・３の部品材を揃える事で得る、安全弓道具。
【手続補正書】
【提出日】平成15年12月18日(2003.12.18)
【手続補正１】
【補正対象書類名】明細書
【補正対象項目名】実用新案登録請求の範囲
【補正方法】変更
【補正の内容】
【実用新案登録請求の範囲】
【請求項１】
鏃部分にＮＢＲ，ＳＢＲ，ＥＰＭ，ＥＤＰＭ，ＩＩＲなどの無泡物又は含泡物によるゴム状塊を採用し、インクを付けた、不貫通性矢。
【請求項２】
貫通性鏃へ被せ、内部に鏃受部品が有る故矢を不貫通性とし、捺印性としたＮＢＲ，ＳＢＲ，ＥＰＭ，ＥＤＰＭ，ＩＩＲなどの無泡物又は含泡物によるゴム状塊。
【請求項３】
容易に組立設置・解体撤去が可能な、脚立状又は衝立状安土代用防護膜と網。
【請求項４】
請求項１・２・３の部品材を揃える事で得る、安全弓道具。
【手続補正書】
【提出日】平成16年4月23日(2004.4.23)
【手続補正１】
【補正対象書類名】明細書
【補正対象項目名】実用新案登録請求の範囲
【補正方法】変更
【補正の内容】
【実用新案登録請求の範囲】
【請求項１】
鏃部分にゴム状塊を採用し、インクを付けた、不貫通性矢。
【請求項２】
従来の鏃へ被せ、矢を不貫通性とし捺印性としたゴム状塊。
【手続補正書】
【提出日】平成16年9月10日(2004.9.10)
【手続補正１】
【補正対象書類名】明細書
【補正対象項目名】実用新案登録請求の範囲
【補正方法】変更
【補正の内容】
【実用新案登録請求の範囲】
【請求項１】
鏃部分にＮＢＲ、ＳＢＲ、ＥＰＭ，ＥＰＤＭ，ＩＩＲなどの無泡物又は含泡物によるゴム状塊を採用し、インクを付けた、不貫通性矢。
【請求項２】
貫通性鏃へ被せ、内部に鏃受部品が有る故矢を不貫通性とし、捺印性としたＮＢＲ，ＥＰＭ，ＥＤＰＭ，ＩＩＲなどの無泡・含泡のゴム状塊。
(57)【要約】【課題】  これまでのペットボトルでは、１本に対して１種類のものしか味わうことができなかった。【解決手段】  本考案は、従来ある飲料用を主とするペットボトルを多段化することにより、１本で数種類味わうことができ、それぞれが独立した構造なので、複数の人が同時に別々のものを使用することもできる。【選択図】  図２
0003107945.tif 000002
【実用新案登録請求の範囲】
【請求項１】
従来より市場にあるペットボトルは、１本１種類での販売がほとんどであるがこのペットボトル自体を多段化することにより、数種類のものが１本で足りる連結・多段式ペットボトルである。
【考案の詳細な説明】
【技術分野】
【０００１】  本考案は、従来あるペットボトルを多段化して、１本で数種類の利用が可能となるペットボトルに関するものである。
【背景技術】
【０００２】  現在コンビニエンスストア・スーパー・自動販売機等でのペットボトルでの販売は、１本１種類での販売のみである。
【考案の開示】
【考案が解決しようとする課題】
【０００３】  多段化することにより、例えば近年コンビニエンスストア等で弁当の販売がなされているが、弁当を食べる時は［お茶］が飲みたいが、食後はコーヒーも飲みたい。
又、トラック等の運転手にとっても、２種類買うことなく、簡便である。
【課題を解決するための手段】
【０００４】  ２種類連結の容器には２種類、３種類以上の場合においても、上、中、下の３種類の形状だけで多段化が可能となる。
この場合、連結部分が重要な要素であり、これは図面に示す。
【考案の効果】
【０００５】  従来の容器も、近年、数年前に比較すると若干小型のタイプが増えてきた傾向にあるものの、未だ１種類のボトルにしてはその量が多く、１種類だけでは飲みきれない場合が、特に女性にはそのようにおもわれる。
【考案を実施するための最良の形態】
【０００６】  まず、上の容器と下の容器を繋ぐ場合、ネジ式にて連結する方法と、ワンタッチ式にて連結する２種類が考えられる。
ネジ式の場合は、その形状・構造がしっかりとしているため自動販売機に最適であり、ワンタッチ式の場合は、その他の店舗等での販売に適している。
上記の形態での多段化し、お茶、コーヒー等の場合では、２段での組み合わせが最も最良である。
しかし、飲料以外のものにおいては、ドレッシング・調味料等、多種類のほうが良い場合がある。
【図面の簡単な説明】
【０００７】
【図１】上、下ペットボトル結合前の各々の立面図である。
【図２】連結後のペットボトルの立面図である。
【図３】結合種別のペットボトルの立面図である。
【図４】２段及び３段に繋いだ場合のペットボトルの立面図である。
【符号の説明】
【０００８】１  上部ペットボトル蓋
２  上部ペットボトル本体
３  上部ペットボトルネジ式結合部
４  下部ペットボトル蓋
５  下部ペットボトルネジ式結合部
６  下部ペットボトル本体
７  上下ネジ式結合部分
８  上下ワンタッチ式結合部分
９  ストッパー
【図１】
0003107945.tif 000003
【図２】
0003107945.tif 000004
【図３】
0003107945.tif 000005
【図４】
0003107945.tif 000006
【手続補正書】
【提出日】平成16年9月17日(2004.9.17)
【手続補正１】
【補正対象書類名】実用新案登録請求の範囲
【補正対象項目名】全文
【補正方法】変更
【補正の内容】
【実用新案登録請求の範囲】
【請求項１】
市場にあるペットボトルは、１本１種類での販売がほとんどであるが、このペットボトル自体を多段化することにより、数種類のものが１本で足りる、結合部を有するボトル。
(57)【要約】      （修正有）【課題】コースター・ドイリーをただの敷物ではなく装飾品、観賞用又はコレクションにする卓上用敷物を提供する。【解決手段】レースペーパー２の中央の和紙３の上にペット・人物の写真５を入れその周りに押し花４をデザインして、透明フィルム１でパックしたものである。厚みは０．２ｍｍ程度のものとする。これにより、ただの敷物ではなく、卓上用装飾品にも観賞用としても、又コレクションにもなる。【選択図】図１
0003107942.tif 000002
【実用新案登録請求の範囲】
【請求項１】
レースペーパーの表面に、ペット・人物の写真の切り抜きを入れ押し花で、周りをデザインして透明フィルムでパックした装飾品、観賞用としても使える卓上用敷物。
【考案の詳細な説明】
【技術分野】
【０００１】本考案はテーブル、机の上に置く装飾品であるが、透明フィルムでパックすることでコースター・ドイリーとしてもつかえる。
【背景技術】
【０００２】押し花を透明フィルムでパックしたコースター・ドイリーは利用されていることが知られている。
【考案の開示】
【０００３】単なるコースター、ドイリーそのものの用途を果たし、ペット・人物の写真を入れ押し花で飾る事で装飾品としての利用価値があるものとして提供しようとするものである。
【考案の効果】
【０００４】このコースター・ドイリーは、透明フィルムを使用しているので水、汚れは拭き取れる。自分のペット、人物の写真を入れることでテーブルの中央に置く装飾品にも、鑑賞用としても、又コレクションにもなる。
【考案を実施するための最良の形態】
【０００５】考案の実施の形態について図面を参照して説明する。
図１〜図３におけるコースター・ドイリーは、レースペーパーの中央の和紙の上にペット・人物の写真を入れその周りに押し花をデザインして、透明フィルムでパックしたもの。厚みは０．２ｍｍ程度のもの
【図面の簡単な説明】
【０００６】
【図１】正面図
【図２】斜面図
【図３】断面図
【符号の説明】
【０００７】１：透明フィルム  ２：レースペーパー
３：和紙          ４：押し花
５：写真
【図１】
0003107942.tif 000003
【図２】
0003107942.tif 000004
【図３】
0003107942.tif 000005
(57)【要約】【課題】  一般に市販されている冷蔵庫のポケットに収容できる９００乃至１０００ｍｌの飲料を収容している飲料容器を提供する。【解決手段】  奥行きが５４．６ｍｍ乃至７１．０ｍｍであり、高さが１７８．６ｍｍ乃至２１８．０ｍｍであり、９００乃至１０００ｍｌの飲料を収容している飲料容器。【選択図】  図１
0003107947.tif 000002
【実用新案登録請求の範囲】
【請求項１】
奥行きが、５４．６ｍｍ乃至７１．０ｍｍであり、高さが１７８．６ｍｍ乃至２１８．０ｍｍであり、９００乃至１０００ｍｌの飲料を収容している飲料容器。
【請求項２】
横断面が、角部に丸みを付けられた矩形である請求項１に記載の飲料容器。
【請求項３】
ＰＥＴから製造されている請求項１又は２に記載の飲料容器。
【考案の詳細な説明】
【技術分野】
【０００１】
本考案は、９００乃至１０００ｍｌの飲料を収容している飲料容器、例えば、ＰＥＴボトルに関する。
【背景技術】
【０００２】
従来のミドルサイズ、即ち９００乃至１０００ｍｌの容器としては、直径Ｄが８５．０ｍｍであり、高さＨが２５０ｍｍである円形断面の容器、あるいは一辺Ｌが７０．５ｍｍであり、高さＨが２６０ｍｍである正方形断面の容器が市販されている。
【０００３】
他方、現在市販されている冷蔵庫においては、飲料用容器用の種々のポケット（棚）が設けられている。
【０００４】
市販されている冷蔵庫は、多くの場合、牛乳パック（一辺Ｌ７０．５ｍｍの正方形断面の容器）を入れるための奥行きが７１．０ｍｍポケットが設けられている。
【０００５】
また、これらの冷蔵庫には、現在最も販売されている５００ｍｌのＰＥＴボトル用のポケットが設けられており、その高さは、例えば、２１８ｍｍである。また、スーパーマーケット、コンビニエンスストア等の売り場における、５００ｍｌのＰＥＴボトル用の棚の高さ、広く普及している一般的な５００ｍｌの容器に合わせて設計されている。
【０００６】
上記直径Ｄ８５．０ｍｍ、高さＨ２５０ｍｍの円形断面の容器では、牛乳パック（一辺Ｌ７０．５ｍｍの正方形断面の容器）用の冷蔵庫の奥行き７１．０ｍｍポケットには入れることができない。また、円形断面の容器は、輸送の際に収容するダンボールが大きくなり、輸送効率が悪い。
【０００７】
一辺Ｌ７０．５ｍｍ、高さＨ２６０ｍｍの正方形断面の容器は、輸送効率に優れており、牛乳パックを入れるポケットに入れることもできる。しかし、この容器は、５００ｍｌのＰＥＴボトルが入る冷蔵庫のこのポケットには高さが高いため、入れることができない。又、売り場における、５００ｍｌのＰＥＴボトル用の棚にも陳列できない。
【考案の開示】
【考案が解決しようとする課題】
【０００８】
従って、本考案が解決しようとする課題は、消費者の都合により、冷蔵庫のいろいろなポケットや場所（具体的には野菜室等）に入れられるような寸法で設計され、売り場においては、５００ｍｌのＰＥＴボトル用の棚における売り場を容易に展開することができる等の利点を有する飲料容器を提供することである。また、結果として、容器がコンパクトに設計することが可能となったので、消費者が購入時に運びやすい等の利点がある。
【課題を解決するための手段】
【０００９】
本考案によると、上記課題が、奥行きが５４．６ｍｍ乃至７１．０ｍｍであり、高さが１７８．６ｍｍ乃至２１８．０ｍｍであり、９００乃至１０００ｍｌの飲料を収容している飲料容器を提供することによって解決される。
【考案を実施するための最良の形態】
【００１０】
本考案の飲料容器は、９００乃至１０００ｍｌの飲料を収容している飲料容器である。
【００１１】
本考案の飲料容器は、奥行きが、５４．６ｍｍ乃至７１．０ｍｍである。５４．６ｍｍり薄いと、飲料容器の幅が広くなり、製造乃至飲料搬送効率が悪くなる等の問題が生じる。具体的には、ボトル成型性が悪くなり、ボトル成型に掛かる時間が長くなってしまう等の問題が生じる。７１．０ｍｍよりも厚いと、上記のとおり、冷蔵庫の牛乳パック（一辺Ｌ７．０ｃｍの正方形断面の容器）用のポケットに入れることができない。
【００１２】
本考案の飲料容器は、高さが１７８．６ｍｍ乃至２１８．０ｍｍである。高さが、１７８．６りも低いと、飲料容器の幅が広くなり、製造乃至飲料搬送効率が悪くなる等の問題が生じる。２１８．０ｍｍよりも高いと、この容器は、冷蔵庫の５００ｍｌのＰＥＴボトル用のポケットに入れることができず、売り場における、５００ｍｌのＰＥＴ用の棚にも陳列できない。
【００１３】
最小奥行き
９００ｍｌの容器の最小奥行きは下記のとおりの計算できる。
【００１４】
例えば、９００ｍｌの容器では、満注内容積は、例えば、９４５．０ｍｌである。
【００１５】
ＰＥＴボトルの口部最小外径である最小口外径の実測値は、例えば、２４．６ｍｍである。
【００１６】
ブロー比（即ち、ボトルの幅／最小口外径）は、４．５倍程度までである。安全を見て、ブロー比を、４．４７倍とした。
【００１７】
このときの最小口外径が２４．６ｍｍであり、ブロー比が４．４７倍のときの、幅は、１１０．０ｍｍである。即ち、最大幅は、１１０．０ｍｍである。
【００１８】
高さが、２１８．０ｍｍ（ボトルの高さ２１５．０ｍｍ＋キャップの厚み３．０ｍｍ）であり、最大幅１１０．０ｍｍのときの奥行き（即ち最小奥行き）は、５４．６ｍｍとなった。
【００１９】
同様に、１０００ｍｌの場合の最小奥行きは、６０．０ｍｍとなった。
【００２０】
最小高さ
９００ｍｌの容器の最小奥行きは下記のとおりの計算できる。
【００２１】
最小奥行きの場合と同様に、最大幅は、１１０．０ｍｍである。
【００２２】
奥行きが最大、７１．０ｍｍであり、幅が、１１０．０ｍｍ（即ち、最大幅）の時のさ（最小高さ）は、１７５．６ｍｍとなり、キャップの厚さ３ｍｍを加えると、１７８．６ｍｍとなった。
【００２３】
同様に、１０００ｍｌの場合の最小高さきは、１８８．０ｍｍとなった。
【００２４】
壁厚を考慮すると、上記のとおりに算出された最小奥行き、最小高さは若干大きくなるまた、壁に模様の凹凸がある場合、あるいは角部に丸みがある場合にも、それに従って最小奥行き、最小高さは若干大きくなる。
【００２５】
また、この飲料容器の本体は、例えば、ＰＥＴ、ポリエステル等の種々のプラスチック材料から製造することができる。
【実施例】
【００２６】
図１乃至図２には、本考案の一実施例に従う飲料容器が示されている。
【００２７】
この引用容器は、容量が、９００ｍｌであり、奥行きが７１．０ｍｍであり、幅が、１１０．０ｍｍであり、高さが、１７８．０ｍｍ（ボトル本体の高さ１７５．６ｍｍ＋キャップの厚さ３ｍｍ）である。
【００２８】
この実施例に従う飲料容器は、奥行きが７１．０ｍｍであるため、冷蔵庫の牛乳パック用のポケットに入れることができる。
【００２９】
この実施例に従う飲料容器は、高さが２１８．０ｍｍより低いため、冷蔵庫の５００ｍｌのＰＥＴボトル用のポケットに入れることができ、売り場における、５００ｍｌ用の飲料容器用の棚にも陳列できる。
【図面の簡単な説明】
【００３０】
【図１】本考案の一実施例に従う飲料容器の正面図。
【図２】本考案の一実施例に従う飲料容器の側面図図。
【符号の説明】
【００３１】
１０  飲料容器
【図１】
0003107947.tif 000003
【図２】
0003107947.tif 000004